(57)【特許請求の範囲】
【請求項１】
液体を貯留するタンク本体と、当該タンク本体を下方から支持する基礎部とを備えるタンクであって、
前記基礎部は、地中に埋設される杭が接続される基部と、当該基部から下方に突出すると共に少なくとも一部が地中に埋設される突出部とを備え、
前記突出部として、平面視において前記基部の外縁から当該基部の側方に向けて突出して設けられると共に地上にて前記基部の外縁と接続される第１突出部を備えていることを特徴とするタンク。
【請求項２】
前記基部が環状に形状設定され、前記突出部として、平面視において前記基部の内縁から当該基部の中心に向けて突出して設けられる第２突出部を備えていることを特徴とする請求項１記載のタンク。
【請求項３】
前記杭に接続されると共に地面よりも上方に設置される浮き基礎部を備え、前記基礎部は、前記浮き基礎部の下方に配置されていることを特徴とする請求項１または２記載のタンク。
【発明の詳細な説明】
【技術分野】
【０００１】
本発明は、タンクに関するものである。
【背景技術】
【０００２】
タンク等の大型構造物は、例えば、特許文献１に示すような基礎部を有している。例えば、油やＬＮＧ（Liquefied Natural Gas）等を貯留する大型のタンクは、タンク本体の下方に基礎部を有し、当該基礎部によってタンク本体を安定して支えるように構成されている。
さらにタンクにおいては、基礎部が地中に埋設された杭に接続されており、より安定してタンク本体が支持できるように構成されている。
【先行技術文献】
【特許文献】
【０００３】
【特許文献１】特開２００８−２９１５７９号公報
【発明の概要】
【発明が解決しようとする課題】
【０００４】
しかしながら、地震が発生したり、津波が到来したりすると、地面の揺れや津波による衝撃によって、タンク本体が基礎部ごと地面に対して移動してしまう。
非常に大きな地震や津波によって地面と基礎部とが相対的に大きく移動すると、地中に埋設されると共に基礎部に接続された杭に対して大きな荷重が作用し、杭が破損する場合がある。
このように杭が破損した場合には、その後の修復が非常に大掛かりなものとなり、修復までの時間やコストが大幅に増加する。
【０００５】
本発明は、上述する問題点に鑑みてなされたもので、タンクにおいて、地震や津波によってタンク本体を支える基礎部が地面に対して大きく移動することを防止することを目的とする。
【課題を解決するための手段】
【０００６】
本発明は、上記課題を解決するための手段として、以下の構成を採用する。
【０００７】
第１の発明は、液体を貯留するタンク本体と、当該タンク本体を下方から支持する基礎部とを備えるタンクであって、上記基礎部が、地中に埋設される杭が接続される基部と、当該基部から下方に突出すると共に少なくとも一部が地中に埋設される突出部とを備えるという構成を採用する。
【０００８】
第２の発明は、上記第１の発明において、上記突出部として、平面視において上記基部の外縁から当該基部の側方に向けて突出して設けられる第１突出部を備えているという構成を採用する。
【０００９】
第３の発明は、上記第１または第２の発明において、上記基部が環状に形状設定され、上記突出部として、平面視において上記基部の内縁から当該基部の中心に向けて突出して設けられる第２突出部を備えているという構成を採用する。
【００１０】
第４の発明は、上記第１〜第３いずれかの発明において、上記杭に接続されると共に地面よりも上方に設置される浮き基礎部を備え、上記基礎部が、上記浮き基礎部の下方に配置されているという構成を採用する。
【発明の効果】
【００１１】
本発明においては、基礎部が、地中に埋設される杭が接続される基部と、当該基部から下方に突出すると共に少なくとも一部が地中に埋設される突出部とを備えている。
このため、地中に埋設された突出部によって基礎部が地面に対して水平方向に移動することを防ぐことができ、地震や津波によって基礎部が地面に対して大きく移動することを防止することができる。
この結果、基礎部に接続された杭に大きな荷重が作用することを防ぎ、杭が破損することを防止することができる。
【図面の簡単な説明】
【００１２】
【図１】本発明の第１実施形態におけるタンクの概略構成を示す断面図である。
【図２】本発明の第１実施形態におけるタンクが備える第１スラブの全体図である。
【図３】本発明の第１実施形態におけるタンクの変形例を示す断面図である。
【図４】本発明の第２実施形態におけるタンクが備える第１スラブの全体図である。
【発明を実施するための形態】
【００１３】
以下、図面を参照して、本発明に係るタンクの一実施形態について説明する。なお、以下の説明において、各部材を認識可能な大きさとするために、各部材の縮尺を適宜変更している。
【００１４】
（第１実施形態）
図１は、本実施形態のタンク１の概略構成を示す断面図である。
この図に示すように、タンク１は、第１スラブ（基礎部）２と、杭３と、第２スラブ４と、タンク本体５とを備えている。
【００１５】
第１スラブ２は、地面に対して設置されるスラブであり、本発明の基礎部に相当するものである。
この第１スラブ２は、地中に埋設される複数の杭３の途中部位と接続される基部２ａと、当該基部２ａから下方に突出して先端が地中に埋設される突出部２ｂとを備えている。
【００１６】
図２は、第１スラブ２の全体図である。なお、図２において（ａ）が平面図であり、（ｂ）が側面図である。なお、図２においては、杭３が接続される貫通孔を省略して図示している。
【００１７】
第１スラブ２は、コンクリートによって形成されている。
そして、基部２ａは、図２（ａ）に示すように平面視において円状に形状設定されており、タンク本体５よりも大きな径を有している。
この基部２ａは、図２（ｂ）に示すように、高さ方向に一部（本実施形態においては下側から半分程度）が地中に埋設されている。
【００１８】
突出部２ｂは、図２（ａ）に示すように、基部２ａの外縁周りに等間隔で複数設けられている。
各突出部２ｂは、本発明における第１突出部に相当するものであり、平面視において基部２ａの外縁から当該基部２ａの側方に向けて突出して設けられている。
そして、図２（ｂ）に示すように、突出部２ｂは、高さ方向に一部（本実施形態においては下側から半分程度）が地中に埋設されている。
【００１９】
このように、本実施形態においては、第１スラブ２の平面視における形状が、歯が等間隔に設置された歯車形状とされている。
そして、第１スラブ２は、各歯が鉛直方向下方に向けて突出して地面に対して突き刺された状態で配置されている。
【００２０】
図１に戻り、杭３は、平面視において第１スラブ２及び第２スラブ４と重なる領域に複数配置されている。
各杭３は、下部の大半が地中に埋設され、上部が第１スラブ２及び第２スラブ４と接続されている。より具体的には、杭３の上部は、第１スラブ２を貫通し、その先端（杭頭）が第２スラブ４と接続されている。
【００２１】
第２スラブ４は、第１スラブ２よりも上方に配置されており、地面から離間して配置されるいわゆる浮き基礎部である。
この第２スラブ４は、コンクリートによって形成されており、タンク本体５よりも大きな径の円形状とされている。そして、この第２スラブ４上に直接タンク本体５が載置される。
【００２２】
タンク本体５は、液体を貯留するものであり、本実施形態においては、いわゆる二重殻タンクとされている。
より詳細には、タンク本体５は、ＬＮＧ等の液体を貯留する金属製の内槽５ａと、当該内槽５ａを囲む金属製あるいはコンクリート製の外槽５ｂとを備えている。
【００２３】
このような構成を採用する本実施形態のタンク１によれば、第１スラブ２が、地中に埋設される杭３が接続される基部２ａと、当該基部２ａから下方に突出すると共に少なくとも一部が地中に埋設される突出部２ｂとを備えている。
このため、地中に埋設された突出部２ｂによって第１スラブ２が地面に対して水平方向に移動することを防ぐことができ、地震や津波によって第１スラブ２が地面に対して大きく移動することを防止することができる。
この結果、第１スラブ２に接続された杭３に大きな荷重が作用することを防ぎ、杭３が破損することを防止することができる。
【００２４】
また、本実施形態のタンク１においては、突出部２ｂが、平面視において基部２ａの外縁から当該基部２ａの側方に向けて突出して設けられる。
このため、基部２ａの下部に突出部を設ける場合と比較して、平面視における第１スラブ２の地面との接触面積が増大し、第１スラブ２が地面に対して水平方向に移動することをより防ぐことが可能となる。
【００２５】
また、本実施形態のタンク１においては、突出部２ｂが基部２ａ周りに等間隔で複数配置されている。
このため、第１スラブ２が地面に対して回転移動することも防止することができる。したがって、杭３に対して捩れ方向に荷重が作用することを防止し、杭３の破損をより確実に防止することができる。
【００２６】
また、本実施形態のタンク１は、杭３に接続されると共に地面よりも上方に設置される第２スラブ４を備え、第１スラブ２が第２スラブ４の下方に配置された、いわゆる二重スラブ構造を採用している。
このような構造を採用することによって、例えば本実施形態の第２スラブ４に相当するスラブを１つのみ備えるタンクと比較して、第１スラブ２の厚さの分、杭３の露出長さが短くなり、全体として強度が向上する。
【００２７】
なお、本実施形態のタンク１を新設する場合には、杭３の設置、第１スラブ２の形成、第２スラブ３の形成、タンク本体５の形成の順に行うことで本実施形態のタンク１を建設することができる。
【００２８】
一方、本実施形態の第２スラブ４に相当するスラブを１つのみ備えるタンクを改造して本実施形態のタンク１とすることも可能である。
この場合には、杭３、第２スラブ４及びタンク本体５が既設されているため、第２スラブ４の下方の地面を掘削して第１スラブ２の設置領域を形成し、この第１スラブ２の設置領域にコンクリートを流し込んで固化させることによって第１スラブ２を形成する。
このように、本実施形態のタンク１は、浮き基礎部を有する既設のタンクを改造することによって容易に形成することができる。
【００２９】
なお、本実施形態においては、本発明のタンクを浮き基礎部（第２スラブ４）を備えるタンクに適用する例について説明した。
しかしながら、本発明はこれに限定されるものではなく、例えば、地面に当接して配置されるスラブを１つのみ備えるタンクに適用することも可能である。
図３は、地面に当接して配置されるスラブ６（基礎部）を１つのみ備えるタンク１Ａの概略構成を示す断面図である。
この図に示すように、タンク１Ａでは、スラブ６に対して、上記実施形態の第１スラブ２と同様に、基部６ａと突出部６ｂとを備えている。
このようなタンク１Ａにおいても、上記実施形態と同様に、スラブ６が地面に対して水平方向に移動することを防ぐことができ、地震や津波によってスラブ６が地面に対して大きく移動することを防止することができる。
【００３０】
（第２実施形態）
次に、本発明の第２実施形態について説明する。なお、本実施形態において、上記第１実施形態と同様の部分については、その説明を省略あるいは簡略化する。
【００３１】
図４は、本実施形態のタンクが備える第１スラブ２Ａの全体図である。なお、図４において（ａ）が平面図であり、（ｂ）が側面図である。なお、図４においては、杭３が接続される貫通孔を省略して図示している。
この図に示すように、本実施形態のタンクが備える第１スラブ２Ａ（基礎部）は、基部２Ａａが環状に形状設定されている。そして、第１スラブ２Ａは、平面視において基部２Ａａの側方に向けて突出して設けられる第１突出部２Ａｂと、平面視において基部２Ａａの内縁から基部２Ａａの中心に向けて突出して設けられる第２突出部２Ａｃとを備えている。
【００３２】
このような構成を採用する本実施形態のタンクにおいても、上記第１実施形態のタンク１と同様に、第１スラブ２が地面に対して水平方向に移動することを防ぐことができ、地震や津波によって第１スラブ２Ａが地面に対して大きく移動することを防止することができる。
【００３３】
また、本実施形態のタンクにおいては、第１スラブ２Ａが環状とされているため、上記第１実施形態のタンク１が備える第１スラブ２と比較して、形成材料を減少させることができる。
【００３４】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００３５】
例えば、上記実施形態においては、第１スラブ２、２Ａ及びスラブ６において、突出部（突出部２ｂ、第１突出部２Ａｂ、第２突出部２Ａｃ、突出部６ｂ）が平面視において基部（基部２ａ、２Ａａ、６ａ）から水平方向に突出する構成を採用している。
しかしながら、本発明はこれに限定されるものではなく、例えば、平面視において基部に重ねて突出部を設けるようにしても良い。
【符号の説明】
【００３６】
１，１Ａ……タンク、２，２Ａ……第１スラブ（基礎部）、２ａ，２Ａａ，６ａ……基部，２ｂ，６ｂ……突出部（第１突出部）、２Ａｂ……第１突出部（突出部）、２Ａｃ……第２突出部（突出部）、３……杭、４……第２スラブ（浮き基礎部）、５……タンク本体、６……スラブ（基礎部）
【図１】
0005751053.tif 000002
【図２】
0005751053.tif 000003
【図３】
0005751053.tif 000004
【図４】
0005751053.tif 000005